(57)【要約】【課題】図柄が交換可能であると共に、固定台が透明であることから、図柄を簡単に且つ精確に押印位置に位置決めすることができる交換式スタンプを提供する。【解決手段】平坦面を有する透明な固定台と、透明で軟質の複数の図柄プレートを有する図柄セットとを備え、前記各図柄プレートは、固定台に貼り付け可能なものであり、一面に図柄が突設され、隣接する２つの図柄プレートの間に、少なくとも１つの切れ目が形成されると共に、少なくとも１つの連結部が設けられることを特徴とする。【選択図】図１
0003161718.tif 000002
【実用新案登録請求の範囲】
【請求項１】
平坦面を有する透明な固定台と、
透明で軟質の複数の図柄プレートを有する図柄セットとを備え、
前記各図柄プレートは、固定台に貼り付け可能なものであり、一面に図柄が突設され、隣接する２つの図柄プレートの間に、少なくとも１つの切れ目が形成されると共に、少なくとも１つの連結部が設けられることを特徴とする交換式スタンプ。
【請求項２】
前記図柄プレートにおける、図柄が設けられていない面に硬質の保護プレートが貼り付けられると共に、該保護プレートにおける、図柄プレートの連結部と対応する位置に連結部が設けられることを特徴とする請求項１に記載の交換式スタンプ。
【考案の詳細な説明】
【技術分野】
【０００１】
本考案は、特に図柄が交換可能であると共に、透明であることから図柄を簡単に押印位置に位置決めすることができる交換式スタンプに関するものである。
【背景技術】
【０００２】
従来のスタンプは、その殆どが底面に１つの図柄しか設けられておらず、そのスタンプの図柄に飽きた場合には、異なる図柄を有する他のスタンプを購入するしかなかった。また、従来のスタンプの図柄は通常、スタンプの底面の一部にしか設けられていないので、その周り（即ち、スタンプの周縁との間)には隙間が存在していた。
【考案の概要】
【考案が解決しようとする課題】
【０００３】
しかしながら、従来のスタンプには、以下に示すような欠点を有する。
１．購入した大量のスタンプを収納するには、広い空間が必要となる。
２．従来のスタンプは、不透明な材料よりなるので、使用時には、スタンプの周縁を所望の位置に合わせても、図柄の位置が把握できないので、正しく押印することが難しかった。
【０００４】
そこで、案出されたのが本考案であって、図柄が交換可能であると共に、透明であることから図柄を簡単に押印位置に位置決めすることできる交換式スタンプを提供することを目的としている。
【課題を解決するための手段】
【０００５】
本考案は、上記の目的を達成するため、平坦面を有する透明な固定台と、透明で軟質の複数の図柄プレートを有する図柄セットとを備え、該各図柄プレートは、固定台に貼り付け可能なものであり、一面に図柄が突設され、隣接する２つの図柄プレートの間に、少なくとも１つの切れ目が形成されると共に、少なくとも１つの連結部が設けられることを特徴とする交換式スタンプ、を提供するものである。
【０００６】
また、前記図柄セットが汚れてしまうのを防止するために、図柄プレートにおける、図柄が設けられていない面に硬質の保護プレートが貼り付けられると共に、該保護プレートにおける、図柄プレートの連結部と対応する位置に連結部が設けられる。
【考案の効果】
【０００７】
本考案は上記の課題を解決するものであり、複数の図柄プレートに夫々異なる図柄を設置できることから、固定台に貼り付ける図柄プレートを変更することにより、紙面に異なる図柄を押印することができ、また、固定台と図柄プレートが透明であることから、使用時には、図柄を所望の位置に精確に合わせることができるので、簡単に正しく押印することができる。
【図面の簡単な説明】
【０００８】
【図１】本考案に係る交換式スタンプの斜視図である。
【図２】本考案に係る交換式スタンプにおける図柄セットの斜視図である。
【図３】本考案に係る交換式スタンプにおける図柄セットから１つの図柄プレートを切り離した状態を示す斜視図である。
【図４】本考案に係る交換式スタンプの使用状態を示す斜視図である。
【考案を実施するための形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１ないし図３に示すように、本考案に係る交換式スタンプは、固定台１０と、図柄セット２０とを備える。
そのうち固定台１０は、平坦面を有するものであり、アクリル樹脂からなることが好ましい。
また、前記図柄セット２０は、透明で軟質なものであり、熱可塑性樹脂（ＴＰＲ）の素材で構成されていることが好ましい。図柄セット２０には複数の切れ目２５が形成されるとともに、隣り合う切れ目２５の間に形成された複数の連結部２４により連結された複数の図柄プレート２１を有する。該各図柄プレート２１の一面には種々の図柄２２が突設して形成される。
【００１１】
また、前記軟質の図柄セット２０の湾曲や汚れを防止するために、該図柄セット２０における、図柄２２が設けられていない面に硬質の保護プレート２６が設けられている。該保護プレート２６に図柄セット２０を押し付けると、該図柄セット２０と保護プレート２６との間の空気が押し出されて、図柄セット２０が保護プレート２６に貼り付けられる。また、該保護プレート２６における、図柄セット２０の連結部２４と対応する位置に連結部２８が設けられる。
【００１２】
図３に示すように、図柄プレート２１を使用する時には、先ず、連結部２４と連結部２８を該図柄プレート２１から切り離して図柄セット２０を取り外す。次に保護プレート２６を図柄プレート２１から剥がし、更に該図柄プレート２１における図柄２２が設けられていない面を固定台１０に貼り付ければ、固定台１０と図柄プレート２１とを組み合わせて使用することができる。
また、前記図柄プレート２１を固定台１０に取り付ける時は、それらの間の空気が押し出されるので、接着剤などを使用しなくても、大気の圧力により図柄プレート２１を固定台１０に貼り付けることができる。
【００１３】
また、前記図柄プレート２１を固定台１０から剥がし取り、異なる図柄を有する図柄プレート２１と交換すれば、スタンプの図柄を変更することができる。更に、該固定台１０から剥がし取った図柄プレート２１を保護プレート２６に貼り付ければ、図柄プレート２１の汚れを防止することができる。
したがって、本考案の交換式スタンプを用いれば、前記図柄プレート２１を交換することによって簡単に図柄を変更することができ、その上、該図柄プレート２１は、体積が小さく収納に便利であると共に、何度も繰り返して使用できるので、経済性及び実用性に優れている。
【００１４】
また、図４に示すように、本考案の交換式スタンプは透明であることから、固定台１０に貼り付けられた図柄プレート２０の図柄２２にインクを付着させ、その図柄２２を紙面に押し付ける時、該図柄２２は、固定台１０の上方からでも完全に視認できるので、所望の位置に精確に押印することができる。
【符号の説明】
【００１５】
１０        固定台
２０        図柄セット
２１        図柄プレート
２２        図柄
２４        連結部
２６        保護プレート
２８        連結部
【図１】
0003161718.tif 000003
【図２】
0003161718.tif 000004
【図３】
0003161718.tif 000005
【図４】
0003161718.tif 000006